(57)【特許請求の範囲】
【請求項１】
イオントフォレーシスにより薬物イオンを投与するために使用される作用側電極構造体を有するイオントフォレーシス装置であって、
前記作用側電極構造体は、前記薬物イオンと同種の極性を持つ作用側電極と、この作用側電極に電気的に接続され、前記薬物イオンを保持する薬液保持部と、を少なくとも有してなり、且つ、前記作用側電極は、円盤状、長円盤状、多角形盤状のいずれかの形状とされ、前記薬液保持部は、前記作用側電極の径方向の外周を囲んで環状に配置され、前記作用側電極構造体は、厚さ方向一方の端面が生体への接触側とされ、この一方の端面における前記薬液保持部より内側部分が、作用電極側絶縁部材によりシールされていることを特徴とするイオントフォレーシス装置。
【請求項２】
請求項１において、
前記薬液保持部は、前記薬物イオンと同種のイオンを選択する作用側イオン選択性膜に、前記薬物イオンを含浸させるか、該イオン選択性膜に前記薬物イオンを塗布するか、薬物イオンと微量のゲル剤との混合剤とするかのいずれかにより構成されていることを特徴とするイオントフォレーシス装置。
【請求項３】
請求項１において、
前記作用側電極と薬液保持部との間に、作用側電極を囲むように、電解液保持部と、前記薬物イオンと同種のイオンを選択する作用側イオン選択性膜と、をこの順で設けたことを特徴とするイオントフォレーシス装置。
【請求項４】
請求項１乃至３のいずれかにおいて、
前記作用電極側絶縁部材は、前記一方の端面における、薬液保持部の内周から作用側電極までの範囲をシールする作用シール材と、前記他方の端面における薬液保持部から作用側電極までの範囲をシールする絶縁性の反対側作用シール材と、を有してなることを特徴とするイオントフォレーシス装置。
【請求項５】
イオントフォレーシスにより薬物イオンを投与するために使用される作用側電極構造体及び非作用側電極構造体と、これらの作用側電極構造体及び非作用側電極構造体に異なる極性で接続される直流電源と、を有し、
前記作用側電極構造体は、前記直流電源における、前記薬物イオンと同種の極性に接続された作用側電極と、この作用側電極に電気的に接続され、前記薬物イオンを保持する薬液保持部と、この薬液保持部の前面に配置され、前記薬物イオンと同種のイオンを選択する作用側イオン選択性膜と、を少なくとも有してなり、
前記非作用側電極構造体は、前記直流電源における、前記薬物イオンと反対の極性に接続された前記非作用側電極と、この非作用側電極に電気的に接続され、電解液を保持する電解液保持部と、この電解液保持部の前面に配置され、前記薬物イオンと反対のイオンを選択する非作用側イオン選択性膜と、を少なくとも有してなり、
前記作用側電極構造体は、前記作用側電極を中心として、これを囲むように、前記薬液保持部及び作用側イオン選択性膜を、この順で、環状に積層して構成され、且つ、前記作用側電極の中心軸線と直交する一方の端面が、生体への接触側とされ、前記薬液保持部及び作用側電極における前記一方の端面が、作用電極側絶縁部材によりシールされていることを特徴とするイオントフォレーシス装置。
【請求項６】
請求項５において、
前記作用電極側絶縁部材は、前記一方の端面における、作用側イオン選択性膜の内周よりも内側の範囲をシールする作用シール材と、前記他方の端面における、作用側イオン選択性膜から薬液保持部及び作用側電極の範囲の他方の端面をシールする絶縁性の反対側作用シール材と、を有してなることを特徴とするイオントフォレーシス装置。
【請求項７】
請求項５又は６において、
前記非作用側電極構造体は、前記非作用側電極を中心として、これを囲むように、前記電解液保持部及び非作用側イオン選択性膜が、この順で、環状に積層して配置され、且つ、前記非作用側電極の中心軸線と直交する一方の端面が生体への接触側とされ、前記電解液保持部及び非作用側電極における前記一方の端面が、非作用電極側絶縁部材によりシールされていることを特徴とするイオントフォレーシス装置。
【請求項８】
請求項７において、
前記非作用電極側絶縁部材は、前記一方の端面における、電解液保持部から非作用側電極の範囲をシールする非作用シール材と、他方の端面における、非作用側イオン選択性膜から電解液保持部及び非作用側電極の範囲をシールする絶縁性の反対側非作用シール材と、を有してなることを特徴とするイオントフォレーシス装置。
【請求項９】
請求項７又は８において、
前記一方の端面と直交する方向から見て、前記作用側電極及び非作用側電極は、絶縁性の分離シール材を介して隣接し、連結状態で、円形又は非円形の連続体形状とされ、
前記薬液保持部と電解液保持部、前記作用側イオン選択性膜と非作用側イオン選択性膜は、それぞれ分離シール材を介して隣接し連結状態で、前記作用側電極及び非作用側電極を、この順で同心状に囲む環状体を形成していることを特徴とするイオントフォレーシス装置。
【請求項１０】
請求項５又は６において、
前記非作用側電極構造体は、前記作用側イオン選択性膜を、絶縁材を介して囲む前記非作用側電極及びこれを囲むようにして、前記電解液保持部及び非作用側イオン選択性膜を、この順で環状に積層して構成され、且つ、これら非作用側電極、電解液保持部における前記一方の端面と連続する端面は、前記作用電極側絶縁部材によりシールされていることを特徴とするイオントフォレーシス装置。
【請求項１１】
請求項５乃至１０のいずれかにおいて、
前記作用側電極構造体は、前記作用側電極と、この作用側電極の外周側に配置され、電解液を保持する電解液保持部と、この電解液保持部の外周側に配置され、前記薬物イオンと反対のイオンを選択的に通過させる第２イオン選択性膜と、この第２イオン選択性膜の外周側に配置された前記薬液保持部と、この薬液保持部の外周側に配置された前記作用側イオン選択性膜と、を有してなることを特徴とするイオントフォレーシス装置。
【請求項１２】
請求項１１において、
前記薬液保持部、第２イオン選択性膜、電解液保持部及び作用側電極のうちいずれか隣接する２つを、前記作用側イオン選択性膜の中心軸線の方向に重ねて配置したことを特徴とするイオントフォレーシス装置。
【請求項１３】
請求項５乃至１０のいずれかにおいて、
前記非作用側電極構造体は、前記非作用側電極と、この非作用側電極の外周側に配置され、第２電解液を保持する第２電解液保持部と、この第２電解液保持部の外周側に配置され、前記薬物イオンと同種のイオンを選択的に通過させる第３イオン選択性膜と、この第３イオン選択性膜の外周側に配置された第３電解液保持部と、この第３電解液保持部の外周側に配置された前記非作用側イオン選択性膜と、を有してなることを特徴とするイオントフォレーシス装置。
【請求項１４】
請求項１３において、
前記第３電解液保持部、第３イオン選択性膜、第２電解液保持部及び非作用側電極のうち、いずれか隣接する２つを、前記非作用側イオン選択性膜の中心軸線の方向に重ねて配置したことを特徴とするイオントフォレーシス装置。
【請求項１５】
イオントフォレーシスにより薬物イオンを投与するために使用される作用側電極構造体及びこれと対極となる非作用側電極構造体を有するイオントフォレーシス装置であって、
前記非作用側電極構造体は、前記薬物イオンと反対の極性を持つ非作用側電極と、この非作用側電極に電気的に接続され、電解液イオンを保持する電解液保持部と、を少なくとも有してなり、且つ、前記非作用側電極は、円盤状、長円盤状、多角形盤状のいずれかの形状とされ、前記電解液保持部は、前記非作用側電極の径方向の外周を囲んで環状に配置され、厚さ方向一方の端面が生体への接触側とされ、この一方の端面における前記電解液保持部より内側部分が、非作用電極側絶縁部材によりシールされていることを特徴とするイオントフォレーシス装置。
【発明の詳細な説明】
【技術分野】
【０００１】
本発明は、薬物イオンを生体に投与するためのイオントフォレーシス装置に関する。
【背景技術】
【０００２】
上記のようなイオントフォレーシス装置としては、特許文献１に記載されるように、作用側電極構造体及び非作用側電極構造体を有し、作用側電極構造体のイオン交換膜から薬液を、皮膚や粘膜に浸透させるものである。
【０００３】
上記のようなイオントフォレーシス装置は、大きい場合でも直径が３０ｍｍ程度のまとまった範囲の皮膚や粘膜を対象としていて、例えば、傷口を避けて、その周囲から、あるいは眼球の周囲から薬物イオンを投与する等の場合、複数の作用側電極構造体を同時に使用しなければならない。
【０００４】
又、直径が６０ｍｍあるいは、これよりも大きい作用側電極構造体を作り、先端の中央部をシールして、周囲のみから薬物イオンを投与する構成も考えられるが、無駄が大きすぎる。
【０００５】
更に、従来のイオントフォレーシス装置は、作用側電極構造体の先端に設けられたイオン交換膜の面積が皮膚や粘膜への薬液浸透面積を決定するが、作用側電極構造体及び非作用側電極構造体のいずれも、予め裁断された同一の大きさのイオン交換膜、薬液保持部、電解液保持部、作用側電極あるいは非作用側電極を順次重ねて形成されていて、薬液保持部も薬液浸透面積と同一面積であるので、投与できる薬液の量がイオン交換膜の面積により限定されてしまうという問題点があった。
【０００６】
更に、上記のイオントフォレーシス装置においては、パーツを順次重ねて形成するので、製造工程に手間がかかるという問題点がある。
【０００７】
【特許文献１】ＷＯ０３０３７４２５号公報
【発明の開示】
【発明が解決しようとする課題】
【０００８】
この発明は、イオン選択性膜の面積をいたずらに大きくすることなく、広い範囲で環状に薬物イオンを十分に投与することができるようにしたイオントフォレーシス装置を提供することを解決課題とする。
【０００９】
又、製造が容易なイオントフォレーシス装置を提供することを解決課題とする。
【課題を解決するための手段】
【００１０】
（１）イオントフォレーシスにより薬物イオンを投与するために使用される作用側電極構造体を有するイオントフォレーシス装置であって、前記作用側電極構造体は、前記薬物イオンと同種の極性を持つ作用側電極と、この作用側電極に電気的に接続され、前記薬物イオンを保持する薬液保持部と、を少なくとも有してなり、且つ、前記作用側電極は、円盤状、長円盤状、多角形盤状のいずれかの形状とされ、前記薬液保持部は、前記作用側電極の径方向の外周を囲んで環状に配置され、前記作用側電極構造体は、厚さ方向一方の端面が生体への接触側とされ、この一方の端面における前記薬液保持部より内側部分が、作用電極側絶縁部材によりシールされていることを特徴とするイオントフォレーシス装置。
【００１１】
（２）前記薬液保持部は、前記薬物イオンと同種のイオンを選択する作用側イオン選択性膜に、前記薬物イオンを含浸させるか、該イオン選択性膜に前記薬物イオンを塗布するか、薬物イオンと微量のゲル剤との混合剤とするかのいずれかにより構成されていることを特徴とする（１）に記載のイオントフォレーシス装置。
【００１２】
（３）前記作用側電極と薬液保持部との間に、作用側電極を囲むように、電解液保持部と、前記薬物イオンと同種のイオンを選択する作用側イオン選択性膜と、をこの順で設けたことを特徴とする（１）に記載のイオントフォレーシス装置。
【００１３】
（４）前記作用電極側絶縁部材は、前記一方の端面における、薬液保持部の内周から作用側電極までの範囲をシールする作用シール材と、前記他方の端面における薬液保持部から作用側電極までの範囲をシールする絶縁性の反対側作用シール材と、を有してなることを特徴とする（１）乃至（３）のいずれかに記載のイオントフォレーシス装置。
【００１４】
（５）イオントフォレーシスにより薬物イオンを投与するために使用される作用側電極構造体及び非作用側電極構造体と、これらの作用側電極構造体及び非作用側電極構造体に異なる極性で接続される直流電源と、を有し、前記作用側電極構造体は、前記直流電源における、前記薬物イオンと同種の極性に接続された作用側電極と、この作用側電極に電気的に接続され、前記薬物イオンを保持する薬液保持部と、この薬液保持部の前面に配置され、前記薬物イオンと同種のイオンを選択する作用側イオン選択性膜と、を少なくとも有してなり、前記非作用側電極構造体は、前記直流電源における、前記薬物イオンと反対の極性に接続された前記非作用側電極と、この非作用側電極に電気的に接続され、電解液を保持する電解液保持部と、この電解液保持部の前面に配置され、前記薬物イオンと反対のイオンを選択する非作用側イオン選択性膜と、を少なくとも有してなり、前記作用側電極構造体は、前記作用側電極を中心として、これを囲むように、前記薬液保持部及び作用側イオン選択性膜を、この順で、環状に積層して構成され、且つ、前記作用側電極の中心軸線と直交する一方の端面が、生体への接触側とされ、前記薬液保持部及び作用側電極における前記一方の端面が、作用電極側絶縁部材によりシールされていることを特徴とするイオントフォレーシス装置。
【００１５】
（６）前記作用電極側絶縁部材は、前記一方の端面における、作用側イオン選択性膜の内周よりも内側の範囲をシールする作用シール材と、前記他方の端面における、作用側イオン選択性膜から薬液保持部及び作用側電極の範囲の他方の端面をシールする絶縁性の反対側作用シール材と、を有してなることを特徴とする（５）に記載のイオントフォレーシス装置。
【００１６】
（７）前記非作用側電極構造体は、前記非作用側電極を中心として、これを囲むように、前記電解液保持部及び非作用側イオン選択性膜が、この順で、環状に積層して配置され、且つ、これら電解液保持部及び非作用側電極における、前記非作用側電極の中心軸線と直交する一方の端面が生体への接触側とされ、前記電解液保持部及び非作用側電極における前記一方の端面が、非作用電極側絶縁部材によりシールされていることを特徴とする（５）又は（６）に記載のイオントフォレーシス装置。
【００１７】
（８）前記非作用電極側絶縁部材は、前記一方の端面における、電解液保持部から非作用側電極の範囲をシールする非作用シール材と、他方の端面における、非作用側イオン選択性膜から電解液保持部及び非作用側電極の範囲をシールする絶縁性の反対側非作用シール材と、を有してなることを特徴とする（７）に記載のイオントフォレーシス装置。
【００１８】
（９）前記一方の端面と直交する方向から見て、前記作用側電極及び非作用側電極は、絶縁性の分離シール材を介して隣接し、連結状態で、円形又は非円形の連続体形状とされ、前記薬液保持部と電解液保持部、前記作用側イオン選択性膜と非作用側イオン選択性膜は、それぞれ分離シール材を介して隣接し連結状態で、前記作用側電極及び非作用側電極を、この順で同心状に囲む環状体を形成していることを特徴とする（７）又は（８）に記載のイオントフォレーシス装置。
【００１９】
（１０）前記非作用側電極構造体は、前記作用側イオン選択性膜を、絶縁材を介して囲む前記非作用側電極及びこれを囲むようにして、前記電解液保持部及び非作用側イオン選択性膜を、この順で環状に積層して構成され、且つ、これら非作用側電極、電解液保持部における前記一方の端面と連続する端面は、前記作用電極側絶縁部材によりシールされていることを特徴とする（５）又は（６）に記載のイオントフォレーシス装置。
【００２０】
（１１）前記作用側電極構造体は、前記作用側電極と、この作用側電極の外周側に配置され、電解液を保持する電解液保持部と、この電解液保持部の外周側に配置され、前記薬物イオンと反対のイオンを選択的に通過させる第２イオン選択性膜と、この第２イオン選択性膜の外周側に配置された前記薬液保持部と、この薬液保持部の外周側に配置された前記作用側イオン選択性膜と、を有してなることを特徴とする（５）乃至（１０）のいずれかに記載のイオントフォレーシス装置。
【００２１】
（１２）前記薬液保持部、第２イオン選択性膜、電解液保持部及び作用側電極のうちいずれか隣接する２つを、前記作用側イオン選択性膜の中心軸線の方向に重ねて配置したことを特徴とする（１１）に記載のイオントフォレーシス装置。
【００２２】
（１３）前記非作用側電極構造体は、前記非作用側電極と、この非作用側電極の外周側に配置され、第２電解液を保持する第２電解液保持部と、この第２電解液保持部の外周側に配置され、前記薬物イオンと同種のイオンを選択的に通過させる第３イオン選択性膜と、この第３イオン選択性膜の外周側に配置された第３電解液保持部と、この第３電解液保持部の外周側に配置された前記非作用側イオン選択性膜と、を有してなることを特徴とする（５）乃至（１０）のいずれかに記載のイオントフォレーシス装置。
【００２３】
（１４）前記第３電解液保持部、第３イオン選択性膜、第２電解液保持部及び非作用側電極のうち、いずれか隣接する２つを、前記非作用側イオン選択性膜の中心軸線の方向に重ねて配置したことを特徴とする（１３）に記載のイオントフォレーシス装置。
【００２４】
（１５）イオントフォレーシスにより薬物イオンを投与するために使用される作用側電極構造体及びこれと対極となる非作用側電極構造体を有するイオントフォレーシス装置であって、前記非作用側電極構造体は、前記薬物イオンと反対の極性を持つ非作用側電極と、この非作用側電極に電気的に接続され、電解液イオンを保持する電解液保持部と、を少なくとも有してなり、且つ、前記非作用側電極は、円盤状、長円盤状、多角形盤状のいずれかの形状とされ、前記電解液保持部は、前記非作用側電極の径方向の外周を囲んで環状に配置され、厚さ方向一方の端面が生体への接触側とされ、この一方の端面における前記電解液保持部より内側部分が、非作用電極側絶縁部材によりシールされていることを特徴とするイオントフォレーシス装置。
【発明の効果】
【００２５】
この発明においては、作用側電極構造体が、作用側イオン選択性膜の内周側に、薬液保持部、他のイオン選択性膜、電解液保持部及び作用側電極等が順次環状に積層して構成されているので、外周の作用側イオン選択性材料の、外径が大きくても、イオン選択性膜の面積を無駄にすることなく、広い範囲で、環状あるいは半環状に薬物イオンを投与することができる。又、上記構成により、傷口や眼球など薬物イオンを浸透させたくない部位を避けて、その周辺から薬物イオンを効果的に投与することができる。
【発明を実施するための最良の形態】
【００２６】
この最良の形態に係るイオントフォレーシス装置は、作用側電極構造体が、環状の第１イオン選択性膜の内周側に、薬液保持部、第２イオン選択性膜、電解液保持部をこの順で、環状に積層して配置し、中心に作用側電極を設けて構成され、又、非作用側電極構造体は、環状の第４イオン選択性膜の内周側に、第３電解液保持部、第３イオン選択性膜、第２電解液保持部をこの順で、環状に積層して配置し、中心に非作用側電極を設けて構成され、前記作用側電極構造体の、人体の皮膚等へ接触する側の端面は、第１イオン選択性膜部分を除いて作用電極側絶縁部材によりシールされ、同様に、非作用側電極構造体における、人体の皮膚等への接触側の端面は、第４イオン選択性膜部分を除いて、非作用電極側絶縁部材によってシールされた構成となっている。
【実施例１】
【００２７】
以下本発明の実施例１に係るイオントフォレーシス装置について図１、図２を参照して詳細に説明する。
【００２８】
この実施例１に係るイオントフォレーシス装置１０は、イオントフォレーシスによりイオン性薬剤を投与するために使用される作用側電極構造体２０及び非作用側電極構造体４０と、これらの作用側電極構造体２０及び非作用側電極構造体４０に異なる極性で接続される直流電源１２と、を有している。
【００２９】
前記作用側電極構造体２０は、円環状の第１イオン選択性膜２２の内周側から、同心円状に、薬液保持部２４、第２イオン選択性膜２６、電解液保持部２８を、順次内側に環状に積層し、且つ、中心には円形の作用側電極３０を設けて構成されている。
【００３０】
前記作用側電極構造体２０の一方の端面１３Ａ（図１において下側で、且つ、人体の皮膚等への接触面）は、前記第１イオン選択性膜２２の部分を除いて、その内側の円形の領域が作用電極側絶縁部材３２によってシールされている。作用側電極構造体２０の、前記一方の端面１３Ａと反対側の他方の端面１３Ｂは、絶縁性の作用側ベースシート３４に接触支持され、且つ、シールされている。又、前記第１イオン選択性膜２２の外周は、作用側ベースシート３４とともに容器を構成するサイドシール３４Ａによりシールされている。
【００３１】
前記作用側電極構造体２０の中央に設けられた円形の作用側電極３０は、直流電源１２における、前記薬物イオンと同種の極性に接続されていて、例えばカーボンペースト等の非金属導電フィラーが配合された導電塗料から構成されている。この作用側電極３０を銅板や金属薄膜によって構成することもできるが、ここから溶出した金属が薬剤投与に際して生体に移行することも考えられるので、非金属性が好ましい。
【００３２】
前記電解液保持部２８は電解質を有し、この電解質は、水の電解反応（プラス極での酸化及びマイナス極での還元）よりも酸化又は還元され易い電解質、例えば、アスコルビン酸（ビタミンＣ）やアスコルビン酸ナトリウム等の医薬剤、乳酸、シュウ酸、リンゴ酸、コハク酸、フマル酸等の有機酸及び／又はその塩を使用することが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。
【００３３】
電解液保持部２８としては、ガーゼや濾紙などの繊維シート、あるいは、アクリル系樹脂のヒドロゲル（アクリルヒドロゲル）、セグメント化ポリウレタン系ゲルなどの高分子ゲルシートなど、保水性を有する任意の素材によりなる担体に電解液を含浸又は含有させて構成されている。又、電解液を液体状態で保持するものでもよいし、電解質塗料を用いてもよい。
【００３４】
更に、前記電解液保持部２８の外側には、前記薬物イオンと反対のイオンを選択的に通過させる前記第２イオン選択性膜２６が配置され、この第２イオン選択性膜の外側には、前記イオン性薬剤を保持する薬液保持部２４が配置されている。
【００３５】
前記第２イオン選択性膜２６は、後述の、薬液保持部２４中の薬物イオンと反対導電型のイオンを対イオンとするイオン交換基が導入されたイオン交換樹脂を含有し、薬液保持部２８における薬効成分がカチオンとなる薬物イオンに解離する薬剤が使用される場合には陰イオン交換樹脂が配合され、逆に、薬効成分がアニオンとなる薬物イオンに解離する薬剤が使用される場合には陽イオン交換樹脂が配合される。
【００３６】
前記薬液保持部２４は、水等の溶媒に溶解する等により薬効成分が陽又は陰のイオン（薬物イオン）に解離する薬剤（薬剤の前駆体を含む）を含有し、薬効成分がプラスのイオンに解離する薬剤としては、麻酔薬である塩酸リドカイン、麻酔薬である塩酸モルヒネ等を例示することができ、薬効成分がマイナスのイオンに解離する薬剤としては、ビタミン剤であるアスコルビン酸等を例示することができる。
【００３７】
又、薬液保持部２４は、ガーゼや濾紙などの繊維シート、あるいは、アクリル系樹脂のヒドロゲル（アクリルヒドロゲル）、セグメント化ポリウレタン系ゲルなどの高分子ゲルシートなど、保水性を有する任意の素材よりなる担体に薬剤溶液を含浸又は含有させて構成されている。又、薬剤液を液体状態で保持するものでもよいし、薬物を塗料として塗布したものでもよい。
【００３８】
なお、薬液保持部２４に保持される薬剤としては、上記の他に、ホルモン、ＤＮＡ、ＲＮＡ、たんぱく質、アミノ酸、ミネラル類も含むものとする。
【００３９】
前記第１イオン選択性膜２２は、前記薬物イオンと同種のイオンを選択するようにされていて、薬液保持部２４中の薬物イオンと同一導電型のイオンを対イオンとするイオン交換基が導入されたイオン交換樹脂を含んでいて、これは、薬液保持部２４の薬効成分が、カチオン又はアニオンに解離する薬剤が使用される場合には、陽イオン交換樹脂又は陰イオン交換樹脂とされる。
【００４０】
上記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。
【００４１】
又、上記陰イオン交換樹脂としては、前記陽イオン交換樹脂と同様の３次元的な網目構造を持つ高分子に、１〜３級アミノ基、４級アンモニウム基、ピリジル基、イミダゾール基、４級ピリジニウム基、４級イミダゾリウム基等の陰イオン交換基（対イオンが陰イオンである交換基）が導入されたイオン交換樹脂が制限無く使用できる。
【００４２】
前記非作用側電極構造体４０は、円環状の第４イオン選択性膜４２の内周から同心円状に、第３電解液保持部４４、第３イオン選択性膜４６、第２電解液保持部４８を順次内側に環状に積層し、且つ、中心には円形の非作用側電極５０を設けて構成されている。
【００４３】
前記非作用側電極構造体４０における非作用側電極５０は、前記直流電源１２における、前記薬物イオンと反対の極性に接続されている。
【００４４】
前記第２電解液保持部４８は、前記非作用側電極５０の外側に配置され、第２電解液を保持するようにされている。更に、前記第３イオン選択性膜４６は、前記第２電解液保持部４８の外側に配置され、前記薬物イオンと同種のイオンを選択的に通過させるように構成されている。
【００４５】
前記第３電解液保持部４４は、前記第３イオン選択性膜４６の外側に配置され、第３電解液を保持するようにされている。前記第４イオン選択性膜４２は、前記第３電解液保持部４４の外側に配置され、前記薬物イオンと反対のイオンを選択的に通過させるように構成されている。
【００４６】
前記非作用側電極５０は、作用側電極３０と同様の構成であり、又、前記第２電解液保持部４８及び第３電解液保持部４４の構成及び成分も、前記電解液保持部２８と同様である。
【００４７】
更に、前記第３イオン選択性膜４６は、前記第１イオン選択性膜２２を形成していると同様の第１のイオン交換樹脂を含んでいて、第１イオン選択性膜３０と同様の、イオン選択性膜として機能する。
【００４８】
前記第４イオン選択性膜４２は、上記と同様の第２のイオン選択性膜に含まれるイオン交換樹脂から形成されている。この第４イオン選択性膜４２は、第２イオン選択性膜２６と同等のイオン選択性膜として機能する。
【００４９】
前記非作用側電極構造体４０の、図１において下側の、一方の端面４０Ａは、前記第４イオン選択性膜４２の部分を除いて、円環状の、且つ絶縁性の非作用電極側シール材５２によってシールされている。
【００５０】
前記一方の端面４０Ａと反対側の他方の端面４０Ｂは、非作用側ベースシート５４（反対側非作用シール材）により全面がシールされている。又、前記第４イオン選択性膜４２の外周は、非作用側ベースシート５４とともに容器を形成するサイドシール５４Ａによりシールされている。
【００５１】
前記直流電源１２は、例えばボタン電池あるいは、例えば、特開平１１−０６７２３６号公報、米国特許公開公報２００４／０１８５６６７Ａ１号公報、米国特許６８５５４４１号公報等に開示される薄型の電池を使用することができ、実施例形態の構造に限定されるものでない。
【００５２】
この直流電源１２は前記作用側電極構造体２０又は非作用側電極構造体４０と一体的に配置されていて、直流電源１２とこれら作用側電極構造体２０及び非作用側電極構造体４０との間では、リード線１４により接続されている。
【００５３】
なお、前記第１イオン選択性膜２２の、一方の端面１２Ａ側の端面は、前記作用電極側絶縁部材３２の外側面とほぼ面一になるようにされ、同様に、第４イオン選択性膜４２の一方の端面４０Ａ側の端面も、前記非作用電極側絶縁部材５２の外側面とほぼ面一となるように構成されている。
【００５４】
なお、前記作用電極側絶縁部材３２及び非作用電極側絶縁部材５２の外側面には、粘着剤層５６を設け、生体の皮膚や粘膜に密着できるようにすると良い。前記粘着剤層５６は、例えばポリオルガノシロキサンを主成分とするシリコン系粘着剤、または、ポリアクリル酸、ポリアクリル酸塩、ポリメタクリル酸、ポリエタクリル酸塩等を用いる。
【００５５】
この実施例１に係るイオントフォレーシス装置１０においては、第１イオン選択性膜２２に薬液を投与できない部分を設けることなく直径を大きくして、例えば皮膚の傷口等を裂けて、これを取り囲むように薬物イオンを投与することができる。
【００５６】
又、作用側電極構造体２０と非作用側電極構造体４０とは、共に、樹木における幹のように、イオン選択性膜や電解液保持部、電極等を年輪状に配置して且つ、年輪と直交する方向に長く形成したものを輪切りにすることによって容易に、且つ、多量に製造することができる。
【実施例２】
【００５７】
次に、図３を参照して、本発明の実施例２に係るイオントフォレーシス装置６０について説明する。
【００５８】
このイオントフォレーシス装置６０は、作用側電極構造体６２における前記第１イオン選択性膜に相当する部分を、前記一方の端面１３Ａ側の薄い第１イオン交換樹脂の膜２２Ａと、他の部分である延長部２２Ｂとを重ねて構成したものであり、延長部２２Ｂは、薬液保持部２４から延長された構成としたものである。
【００５９】
又、非作用側電極構造体６４では、第４イオン選択性膜に相当する部分を、前記一方の端面４０Ａ側の膜状の第４イオン交換樹脂の膜４２Ａと、その、図３において上側部分の、前記第３電解液保持部４４からの延長部４２Ｂとから構成したものである。
【００６０】
このイオントフォレーシス装置６０においては、薬液保持部２４に対して延長部２４Ａが、又第３電解液保持部４４に対して延長部４４Ａが、それぞれ加えられて、投与する薬液量を増大することができる。
【実施例３】
【００６１】
次に図４に示される本発明の実施例３について説明する。
【００６２】
この実施例３に係るイオントフォレーシス装置８０は、図１及び図２に示される実施例１に係るイオントフォレーシス装置１０に示される、平面視で円形の作用側電極構造体及び非作用側電極構造体を二等分割したと同等の、平面視で半円形状の作用側電極構造体８２及び非作用側電極構造体８４を、絶縁性の分離シール材８６を介して隣接して連結した状態で、平面視で円形となるように構成したものである。
【００６３】
従って、このイオントフォレーシス装置８０は、いずれも半円弧状で、且つ、分離シール材８６を介して連結された第１イオン選択性膜２２Ａと第４イオン選択性膜４２Ａとからなる第１環状体８８と、薬液保持部２４Ａと第３電解液保持部４４Ａとからなる第２環状体９０と、第２イオン選択性膜２６Ａと第３イオン選択性膜４６Ａとからなる第３環状体９２と、電解液保持部２８Ａと第２電解液保持部４８Ａとからなる第４環状体９４と、を有している。これらが、共に平面視で半円形状、且つ、分離シール材８６を介して連結された作用側電極３０Ａと非作用側電極５０Ａからなる中心の円形を、外側から内側にこの順で同心状に囲むように構成されている。
【００６４】
このイオントフォレーシス装置８０は、まず、平面視で円形状の作用側電極構造体及び非作用側電極構造体をそれぞれ形成した後に、これらを直径線に沿って２分割して、半円形状の作用側電極構造体８２及び非作用側電極構造体８４を形成し、これらを、分離シール材８６を介して円形となるように接続して製造すればよい。
【実施例４】
【００６５】
次に、図５に示される本発明の実施例４に係るイオントフォレーシス装置１００について説明する。
【００６６】
このイオントフォレーシス装置１００は、図１、図２に示されるイオントフォレーシス装置１０における作用側電極構造体２０の外側に、これを同心円状に取り囲むようにして非作用側電極構造体１０２を形成したものである。
【００６７】
なお、第１イオン選択性膜２２の外側には円環状の非作用側電極１０４が、絶縁材１０６を介して隣接して設けられている。即ち、非作用側電極構造体１０２は、非作用側電極１０４が環状体であり、これから第４イオン選択性膜４２まで、実施例１と同一の順序で、且つ、実施例１よりも大きい直径で配置されている。
【００６８】
他の構成は、前記イオントフォレーシス装置１０におけると同一であるので、同一構成部分に実施例１と同一の符号を付することにより説明を省略するものとする。
【実施例５】
【００６９】
次に、図６に示される本発明の実施例５に係るイオントフォレーシス装置１１０について説明する。
【００７０】
このイオントフォレーシス装置１１０の作用側電極構造体１１２は、円環状の薬液保持部１１４の内周側に、第１イオン選択性膜１１６、薬液補給層１１８、内側ライナー１２０、第２イオン選択性膜１２２、電解液保持部１２４を順次環状に積層し、且つ、中心に円形の作用側電極１２６を設けて構成したものである。
【００７１】
前記イオン選択性膜１１６、第２イオン選択性膜１２２、電解液保持部１２４、作用側電極１２６は、前記実施例１における第１イオン選択性膜２２、第２イオン選択性膜２６、電解液保持部２８、及び、作用側電極３０と同一の構成であるので説明を省略する。
【００７２】
前記薬液保持部１１４は、前記実施例１における薬液保持部２４で用いたと同様の薬物イオンを塗布したものである。また、薬液補給層１１８は、同様の薬物イオンから構成されている。
【００７３】
前記内側ライナー１２０は、剥離紙あるいは剥離フィルムなどから構成され、前記薬液補給層１１８と第２イオン選択性膜１２２とが接触しないようにしておいて、保存期間中に電解液保持部１２４における電解液と薬液補給層１１８における薬物イオンの拡散による混合を防止するものである。
【００７４】
なお前記内側ライナー１２０は、第２イオン選択性膜１２２に粘着性がないために、これと接触する側は剥離剤が不要であり、従って、内側ライナー１２０は防水性の薄膜であればよい。
【００７５】
前記作用側電極構造体１１２の、図６における下側の端面は、薬液保持部１１４の内側、即ち、第１イオン選択性膜１１６から、前記作用側電極１２６までの範囲で、作用シール材１２８によってシールされている。
【００７６】
この作用シール材１２８の外側に前記薬液保持部１１４が露出しているが、この露出している薬液保持部１１４の先端は、剥離が容易な外側ライナー１３０によってシールされている。
【００７７】
又、前記作用側電極構造体１１２における、前記作用シール材１２８と反対側の端面、即ち作用側電極１２６から最外周の薬液保持部１１４までの範囲の全部を、作用側ベースシートとなる一枚の、反対側作用絶縁部材１３２によりシールされている。
【００７８】
又、前記内側ライナー１２０は、薬液補給層１１８と第２イオン選択性膜１２２との間において二つ折りに収納されていて、その一方の端部１２０Ａが、作用側電極構造体１１２の、図６における上方に突出され、ここを引っ張ることによって、内側ライナー１２０を薬液補給層１１８と第２イオン選択性膜１２２との間から引き抜くことができるようにされている。
【００７９】
前記内側ライナー１２０の、外部に突出している端部１２０Ａは、前記反対側作用絶縁部材１３２を貫通して突出されている。
【００８０】
非作用側電極構造体１１３の構成については説明を省略する。
【００８１】
この実施例に係るイオントフォレーシス装置１１０を使用する際は、前記外側ライナー１３０をはがして、薬液保持部１１４を露出させるとともに、前記内側ライナー１２０を、外側から端部１２０Ａを引っ張ることによって、薬液補給層１１８と第２イオン選択性膜１２２との間から引き抜き、両者を接触させる。これにより前記薬物イオンと異なるイオンが、薬液補給層１１８から第２イオン選択性膜１２２を通って電解液保持部１２４に移動できるようにされる。
【００８２】
なお、前記薬液保持部１１４は、第１イオン選択性膜１１６に塗布された薬物イオンから構成されているが、本発明はこれに限定されるものでなく、例えば、前記第１イオン選択性膜１１６に、薬物イオンを含浸させたり、薬物イオンと微量のゲル剤との混合剤を前記第１イオン選択性膜１１６の外側に設けるようにしてもよい。
【００８３】
上記各実施例によれば、前記第１イオン選択性膜あるいは薬液保持部１１４の中心側を無駄にすることなく、その直径を大きく設定することができる。
【００８４】
又、従来のように、イオン選択性膜上に厚さ方向に薬液層などを積層すると、どうしても厚くなり、柔軟性が失われるが、上記各実施例の構成では、作用側電極構造体及び／又は非作用側電極構造体を薄くすることができ、従って、使用時における皮膚追従性が向上されるという効果がある。
【００８５】
更に、上記各実施例では、各層間の幅を自由に選択することができるため、例えば、イオン選択性膜などのイオン選択性膜の幅を広くすることによって、電極液と薬物イオンとが混合しないようにすることができる。
【００８６】
さらにまた、上記各実施例によれば、外周の環状の薬液保持部あるいは第１イオン選択性膜の内側に樹木の幹における年輪状に各層を形成し、これを輪切りにすれば、簡単に、且つ低コストで製造することができる。
【００８７】
例えば作用側電極構造体の場合は、ベースシート上に、作用側電極、電解液保持部、第２イオン選択性膜、薬液保持部、第１イオン選択性膜をこの順で、塗布、膜の貼り付け、印刷、あるいはスプレーなどによって順次形成したのち、全体を年輪状に、即ち、ロール状に形成し、しかる後に、これを輪切りにすれば、例えば、図１に示されるような作用側電極構造体を得ることができる。
【００８８】
なお、上記実施例１〜５は、第１イオン選択性膜、薬液保持部、第２イオン選択性膜、電解液保持部および、作用側電極とから作用側電極構造体を形成し、また、非作用側電極構造体は、第４イオン選択性膜、第３電解液保持部、第３イオン選択性膜、第２電解液保持部、非作用側電極からそれぞれ構成しているが、本発明はこれに限定されるものでなく、例えば、作用側電極構造体については、薬液保持部と作用側電極から構成してもよく、また、第１イオン選択性膜、薬液保持部、作用側電極から構成したものであってもよい。
【００８９】
又、前記各実施例において、作用側電極構造体あるいは非作用側電極構造体を構成する各層は、中心側から順次リング状に積層して構成しているが、本発明はこれに限定されるものでなく、平面視形状が長円形、あるいは、四角形、六角形などの多角形であってもよい。この場合、作用側電極及び／又は非作用側電極、あるいは、これらが連結されたものの形状は、円盤状、長円盤状又は多角形盤状となる。
【００９０】
更に又、最も外側の第１イオン選択性膜と中心の作用側電極、あるいは薬液保持部と作用側電極の間、非作用側電極構造体にあっては、第４イオン選択性膜と非作用側電極との間の複数の層を、例えば、図７〜図９に示されたイオントフォレーシス装置１４０、１５０あるいは１６０のように、一部を、厚さ方向に積層してもよい。
【００９１】
前記イオントフォレーシス装置１４０は作用側電極構造体１４２及び非作用側電極構造体１４４から、イオントフォレーシス装置１５０は作用側電極構造体１５２及び非作用側電極構造体１５４から又、イオントフォレーシス装置１６０は作用側電極構造体１６２及び非作用側電極構造体１６４から、それぞれ構成されている。又、図７〜図９において、実施例１の構成と同一部分には同一符号を付して説明を省略するものとする。
【００９２】
これらの場合、電気的な接触順序を、前記各実施例と同一となるようにするために、側面にシール材１５６を設けて短絡しないようにしている。
【００９３】
イオントフォレーシス装置において、電気抵抗は主に各層の界面に生じるが、これらの接触面積に依存する。上記図７〜図９の構成において、隣接する層間の一部又は全部が厚さ方向に重なるので、この部分では、接触面積は印刷精度にのみ依存し、管理が容易である。
【００９４】
なお、前記第１イオン選択性膜が、イオン交換樹脂を含む膜から構成されているが、本発明はこれに限定されるものでなく、目的のイオンを選択的に通過させる機能を有するイオン選択性膜であればよい。
【図面の簡単な説明】
【００９５】
【図１】本発明の実施例１に係るイオントフォレーシス装置を示す断面図
【図２】同平面図
【図３】本発明の実施例２に係るイオントフォレーシス装置を示す図１と同様の断面図
【図４】本発明の実施例３に係るイオントフォレーシス装置を示す平面図
【図５】本発明の実施例４に係るイオントフォレーシス装置を示す図２と同様の平面図
【図６】本発明の実施例５に係るイオントフォレーシス装置を示す図１と同様の断面図
【図７】作用側電極構造体あるいは非作用側電極構造体における中間層の積層方法の変形例を模式的に示す断面図
【図８】同他の変形例を模式的に示す断面図
【図９】更に他の変形例を模式的に示す断面図
【符号の説明】
【００９６】
１０、６０、８０、９０、１００、１１０、１４０、１５０、１６０…イオントフォレーシス装置
１２…直流電源
１３Ａ、４０Ａ…一方の端面
２０、６２、８２、１１２、１４２、１５２、１６２…作用側電極構造体
２２、２２Ａ、６２、１１６…第１イオン選択性膜
２４、２４Ａ、１１４…薬液保持部
２６、２６Ａ、１２２…第２イオン選択性膜
２８、２８Ａ、１２４…電解液保持部
３０、３０Ａ、１２６…作用側電極
３２…作用電極側絶縁部材
３４…作用側ベースシート（反対側作用シール材）
４０、６４、８４、１０２、１１３、１４４、１５４、１６４…非作用側電極構造体
１３Ｂ、４０Ｂ…他方の端面
４２、４２Ａ、６４…第４イオン選択性膜
４４、４４Ａ…第３電解液保持部
２２Ａ、４２Ａ…延長部
４６、４６Ａ…第３イオン選択性膜
４８、４８Ａ…第２電解液保持部
５０、５０Ａ、１０４…非作用側電極
５２…非作用電極側絶縁部材
５４…非作用側ベースシート（反対側非作用シール材）
５６…粘着剤層
８６…分離シール材
８８…第１環状体
９０…第２環状体
９２…第３環状体
１０６…絶縁材
１２０…内側ライナー
１２８…作用シール材
１３２…反対側作用シール材
１５６…シール材
【図１】
0004732871.tif 000002
【図２】
0004732871.tif 000003
【図３】
0004732871.tif 000004
【図４】
0004732871.tif 000005
【図５】
0004732871.tif 000006
【図６】
0004732871.tif 000007
【図７】
0004732871.tif 000008
【図８】
0004732871.tif 000009
【図９】
0004732871.tif 000010